(57)【要約】【課題】上流側の水平筒部１３１と、水平筒部から上方にのびる起立筒部１３２とを有し、水平筒部に下方にのびるドレンパイプ１３４が連結されているドレンパイプ付き排気筒の取付け構造において、ドレンパイプの連結部が水平筒部の横断面の最下部に位置する正規位相で確実に水平筒部を取付けられるようにする。【解決手段】水平筒部１３１に横断面形状が非円形の非円形断面部１３１ａを形成する。水平筒部１３１に対し非円形断面部１３１ａにおいて回り止めされた状態で装着される取付け具１３５を設ける。取付け具１３５は、水平筒部１３１を正規位相にした状態で燃焼器の器体又は器体内の内蔵品に固定される。【選択図】図５
2008151446.tif 000002
【特許請求の範囲】
【請求項１】
上流側の水平筒部と、水平筒部から上方にのびる起立筒部とを有し、水平筒部に下方にのびるドレンパイプが連結されている、燃焼器に設けられるドレンパイプ付き排気筒の取付け構造において、
水平筒部は横断面形状が非円形の非円形断面部を有し、
水平筒部に対し非円形断面部において回り止めされた状態で装着される取付け具を備え、
取付け具は、水平筒部をドレンパイプの連結部が水平筒部の横断面の最下部に位置する正規位相にした状態で燃焼器の器体又は器体内の内蔵品に固定されることを特徴とするドレンパイプ付き排気筒の取付け構造。
【請求項２】
前記水平筒部の一部に他部より大径の拡径部が形成され、拡径部の下部に拡径部以外の部分より下方に窪む下平面部が形成されると共に、拡径部の上部に下平面部に平行な上平面部が形成されて、拡径部により前記非円形断面部が構成され、下平面部に前記ドレンパイプが連結され、前記取付け具は、非円形断面部を上下の平面部において上下から挟み込むように構成され、下平面部が水平になるように取付け具が前記器体又は前記内蔵品に固定されることを特徴とする請求項１記載のドレンパイプ付き排気筒の取付け構造。
【請求項３】
請求項２記載のドレンパイプ付き排気筒の取付け構造であって、前記取付け具に、前記拡径部の下流側の段部に係合する係合部が設けられていることを特徴とするドレンパイプ付き排気筒の取付け構造。
【請求項４】
前記水平筒部と前記起立筒部とが別体で構成され、起立筒部の下端に水平方向に屈曲するエルボー部が設けられ、このエルボー部の先端が水平筒部の下流端に相対回転自在に嵌合することを特徴とする請求項１〜３の何れか１項に記載のドレンパイプ付き排気筒の取付け構造。
【発明の詳細な説明】
【技術分野】
【０００１】
本発明は、燃焼器に設けられるドレンパイプ付き排気筒の取付け構造に関する。
【背景技術】
【０００２】
燃焼器に設けられる排気筒が上流側の水平筒部と、水平筒部から上方にのびる起立筒部とを有するものである場合、排気筒内での燃焼排気中の水分の凝縮で発生するドレン水が起立筒部を介して水平筒部に流下する。ドレン水は強酸性であり、水平筒部の腐食を防止するため、ドレン水を水平筒部から排水することが必要になる。
【０００３】
そこで、従来、水平筒部に下方にのびるドレンパイプを連結し、水平筒部に流下したドレン水をドレンパイプを介して排水できるようにしたものが知られている（例えば、特許文献１参照）。
【０００４】
ここで、ドレンパイプの連結部が水平筒部の横断面の最下部に位置する正規位相から水平筒部が回転ずれした状態で取付けられると、水平筒部内にドレン水が残留してしまう。燃焼器の製造段階では、排気筒の取付け時に水平筒部が正規位相になるように管理している。然し、従来は、水平筒部を正規位相に強制的に拘束する手段を設けておらず、メンテナンス時に排気筒を取外した場合、排気筒の再取り付け時に水平筒部が正規位相からずれた状態で取付けられてしまうことがある。
【特許文献１】特開平７−３１８１６９号公報
【発明の開示】
【発明が解決しようとする課題】
【０００５】
本発明は、以上の点に鑑み、水平筒部を正規位相で確実に取付けられるようにしたドレンパイプ付き排気筒の取付け構造を提供することをその課題としている。
【課題を解決するための手段】
【０００６】
上記課題を解決するために、本発明は、上流側の水平筒部と、水平筒部から上方にのびる起立筒部とを有し、水平筒部に下方にのびるドレンパイプが連結されている、燃焼器に設けられるドレンパイプ付き排気筒の取付け構造において、水平筒部は横断面形状が非円形の非円形断面部を有し、水平筒部に対し非円形断面部において回り止めされた状態で装着される取付け具を備え、取付け具は、水平筒部をドレンパイプの連結部が水平筒部の横断面の最下部に位置する正規位相にした状態で燃焼器の器体又は器体内の内蔵品に固定されることを特徴とする。
【０００７】
本発明によれば、水平筒部の非円形断面部に取付け具を装着することで、水平筒部が取付け具に対し回り止めされる。そして、取付け具は水平筒部を正規位相にした状態で燃焼器の器体又は内蔵品に固定されるようになっているため、水平筒部は取付け具により強制的に正規位相に拘束される。従って、メンテナンス時に排気筒を一旦取外しても、排気筒の再取付け時に、取付け具を水平筒部の非円形断面部に装着して器体又は内蔵品に固定するだけで、水平筒部を正規位相で確実に取付けることができる。かくして、ドレンパイプの連結部は水平筒部の横断面の最下部に位置し、ドレン水が水平筒部内に残留することを防止できる。
【０００８】
また、本発明においては、水平筒部の一部に他部より大径の拡径部が形成され、拡径部の下部に拡径部以外の水平筒部の部分より下方に窪む下平面部が形成されると共に、拡径部の上部に下平面部に平行な上平面部が形成されて、拡径部により非円形断面部が構成され、下平面部にドレンパイプが連結され、取付け具は、非円形断面部を上下の平面部において上下から挟み込むように構成され、下平面部が水平になるように取付け具が器体又は内蔵品に固定されることが望ましい。これによれば、水平筒部が上下の平面部において取付け具によりしっかりと回り止めされ、取付け具を器体又は内蔵品に固定することにより、下平面部の水平度が確保される。そして、下平面部は拡径部以外の水平筒部の部分より下方に窪んでいるため、水平筒部に流下したドレン水は下平面部に集まり、下平面部に連結したドレンパイプから確実に排水される。
【０００９】
また、このように拡径部で非円形断面部を構成する場合、取付け具に、拡径部の下流側の段部に係合する係合部が設けられていることが望ましい。これによれば、水平筒部を接続する上流側の部材に対し水平筒部を抜け止めすることができる。
【００１０】
ところで、排気筒の水平筒部と起立筒部とが一体であると、起立筒部の上端を接続する他部材の位置ずれで、正規位相に拘束される水平筒部の軸線回りの曲げモーメントが起立筒部に作用し、耐久性に悪影響が及ぶ。
【００１１】
そのため、本発明においては、水平筒部と起立筒部とが別体で構成され、起立筒部の下端に水平方向に屈曲するエルボー部が設けられ、このエルボー部の先端が水平筒部の下流端に相対回転自在に嵌合することが望ましい。これによれば、起立筒部の上端を接続する他部材が位置ずれしても、水平筒部に対するエルボー部の回転で、起立筒部に曲げモーメントが作用することを防止できる。
【発明を実施するための最良の形態】
【００１２】
以下、燃焼器たる暖炉型暖房器に設けるドレンパイプ付き排気筒の取付け構造に本発明を適用した実施形態について説明する。この暖炉型暖房器は、図１乃至図４に示す如く、器体１と、器体１内に設けた燃焼筐２とを備えている。器体１は、底板部１ａと、左右の側板部１ｂと、背板部１ｃと、上板部１ｄと、前面パネル１ｅと、背板部１ｃの背面の左寄りの部分に取付けられるエクステンションケース１ｆとで構成されている。また、器体１は、図４に示す如く、室壁Ｗに形成した凹所Ｗａに埋め込むようにして設置され、室壁Ｗの前方に露出するのは器体１の前部のみになる。
【００１３】
燃焼筐２内の下部には、バーナ３が配置されている。また、燃焼筐２内に、バーナ３の上端部を嵌合させる開口を形成したバーナ支持板２ａを配置し、バーナ支持板２ａ上に、セラミックス等の耐火材で形成された擬似薪４を配置している。そして、燃焼筐２の前面にガラス板２ｂを装着すると共に、器体１の前面パネル１ｅに、燃焼筐２の前面に対向する窓部を開設して、この窓部に窓ガラス１ｇを装着している。かくして、前面パネル１ｅの前方から燃焼筐２内を目視できるようになり、バーナ３を燃焼させたときに、恰も擬似薪４が燃えているような視覚的印象を与えることができる。また、燃焼筐２の底面には給気ダクト５が接続されており、後述する排気ファン１２の吸引力により屋外の空気が給気ダクト５を介して燃焼筐２内に強制的に供給される。
【００１４】
器体１内には、燃焼筐２の後側に位置させて、燃焼筐２からの燃焼排気が連通管６ａを介して流入する熱交換器６が配置されると共に、燃焼筐２の上方に位置させて、共通のファンモータ７ａにより駆動される左右一対の温風ファン７，７が配置されている。そして、器体１の左右の各側板部１ｂの前縁部に空気取入れ口８を開設すると共に、前面パネル１ｅの窓ガラス１ｇの下側の部分に送風口９を開設し、室内空気を空気取入れ口８を介して温風ファン７に吸込み、温風ファン７から熱交換器６の配置部と燃焼筐２の下方空間とを経由して送風口９に送風して、温風暖房機能を得られるようにしている。尚、燃焼筐２の左右両外側には、器体１の底板部１ａと背板部１ｃとに達する仕切板２ｃ，２ｃが配置されており、温風ファン７から送風される空気が横方向に逃げることを両仕切板２ｃ，２ｃで防止できるようにしている。また、燃焼筐２の下方には、熱交換器６の配置部を通過した空気を送風口９に導くガイド板２ｄが配置されている。
【００１５】
器体１内には、更に、燃焼筐２との間の横方向一側(右側)の側部空間に位置させて、電子コントロールユニット１０やバーナ３用のバルブユニット１１から成る制御機器が配置されている。また、燃焼筐２との間の横方向他側(左側)の側部空間には、熱交換器６の下流側にエクステンションケース１ｆ内の排気ファン１２(図２参照)を介して接続される後記詳述する排気筒１３が配置されている。
【００１６】
ここで、左側の側部空間は、図２に示す如く、排気筒１３より下方の下部空間と、排気筒１３が配置された上部空間とに間仕切り板１４で区画されている。そして、下部空間に流入した空気をエクステンションケース１ｆ内に配置した排気ファン１２用のファンモータ１２ａの配置部を経由して上部空間に導く導風路１５を設けている。導風路１５は、器体１の背板部１ｃに下部空間に臨むように開設した第１通気口１５ａと、第１通気口１５ａからの空気をファンモータ１２ａの配置部に導くエクステンションケース１ｆ内の空気ガイド部材１５ｂと、器体１の背板部１ｃに上部空間に臨むように開設した第２通気口１５ｃとで構成されている。これによれば、第１通気口１５ａから空気ガイド部材１５ｂによってファンモータ１２ａの配置部に導かれた空気が、ファンモータ１２ａの配置部を通過して排気ファン１２の外面に向けて前方に流れ、ファンモータ１２ａの空冷が行われる。かくして、燃焼排気の熱によるファンモータ１２ａの熱損が防止される。また、ファンモータ１２ａの配置部を通過した空気は、エクステンションケース１ｆ内から第２通気口１５ｃを介して上部空間に流れ、温風ファン７に吸込まれる。
【００１７】
次に、排気筒１３について詳述する。排気筒１３は、図２に示す如く、排気ファン１２に接続される上流側の水平筒部１３１と、水平筒部１３１の前端から上方に屈曲してのびる起立筒部１３２と、起立筒部１３２の上端から後方に屈曲してのびて背板部１ｃの後方に突出する下流側筒部１３３と、下流側筒部１３３の後端に接続される、屋外までのびる図示省略した内外２重の給排気筒の内側の排気筒部とで構成される。
【００１８】
ここで、排気筒１３内での燃焼排気中の水分の凝縮で生じたドレン水は下流側筒部１３３から起立筒部１３２を介して水平筒部１３１に流下する。そこで、水平筒部１３１に、図５乃至図７に示す如く、下方にのびるドレンパイプ１３４を連結している。図２を参照して、ドレンパイプ１３４は間仕切り板１４より下方にのび、仕切板２ｃに貫通するように取付けたパイプ１３４´にドレンパイプ１３４の下端が嵌合される。そして、ドレン水が水平筒部１３１からドレンパイプ１３４とパイプ１３４´とを介して燃焼筐２の下方のガイド板２ｄに載置したドレンパン（図示せず）に排水されるようにしている。尚、ドレンパイプ１３４には、燃焼排気の漏れを防止するために、トラップ部１３４ａが設けられている。
【００１９】
ところで、水平筒部１３１内にドレン水が残留しないようにするには、水平筒部１３１をドレンパイプ１３４の連結部が水平筒部１３１の横断面の最下部に位置する正規位相で取付ける必要がある。そのため、本実施形態では、水平筒部１３１に横断面形状が非円形の非円形断面部を形成し、水平筒部１３１に対し非円形断面部において回り止めされた状態で装着される取付け具１３５を設け、この取付け具１３５を水平筒部１３１が正規位相に存する状態で仕切板２ｃに固定できるようにしている。
【００２０】
以下、この点について詳述する。水平筒部１３１には、その長手方向中間部に、他部より大径の拡径部１３１ａが形成されている。拡径部１３１ａの下部には、拡径部１３１ａ以外の部分より下方に窪む下平面部１３１ｂが形成され、また、拡径部１３１ａの上部には下平面部１３１ｂに平行な上平面部１３１ｃが形成されており、拡径部１３１ａにより非円形断面部が構成される。そして、下平面部１３１ｂにドレンパイプ１３４がかしめで連結されている。
【００２１】
取付け具１３５は、縦板部１３５ａと、縦板部１３５ａの下端から横方向内方に屈曲してのびる下板部１３５ｂと、縦板部１３５ａの上端から横方向内方に屈曲してのびる上板部１３５ｃとを有するコ字状に形成される。そして、上板部１３５ｃと下板部１３５ｂとで拡径部１３１ａの上平面部１３１ｃと下平面部１３１ｂとを上下から挟み込むように取付け具１３５を拡径部１３１ａに装着することで、取付け具１３５に対し水平筒部１３１がしっかりと回り止めされるようにしている。尚、下板部１３５ｂにはドレンパイプ１３４に対する逃げとなるスリット１３５ｄが形成されている。
【００２２】
下板部１３５ｂと上板部１３５ｃの横方向内方の端部には上下方向に屈曲するフランジ部１３５ｅが形成されている。そして、図７に示す如く、フランジ部１３５ｅをこれに形成した取付孔１３５ｆにおいて仕切板２ｃにねじで固定することにより、ドレンパイプ１３４の連結部たる下平面部１３１ｂが水平筒部１３１の横断面の最下部に位置し且つ水平になる正規位相に水平筒部１３１が拘束されるようにしている。これにより、水平筒部１３１に流下したドレン水は下平面部１３１ｂに集まり、下平面部１３１ｂに連結したドレンパイプ１３４から確実に排水される。
【００２３】
尚、間仕切り板１４には、ドレンパイプ１３４に対する逃げとなるスリット１４ａが横方向内方の側縁に達するように形成されている。そして、取付け具１３５を仕切板２ｃに固定した後に、ドレンパイプ１３４をスリット１４ａに入れ込んだ状態で間仕切り板１４を仕切板２ｃに固定する。
【００２４】
また、取付け具１３５の縦板部１３５ａの前縁には、拡径部１３１ａの下流側（前側）の段部１３１ｄに係合する係合部１３５ｇが形成されている。これにより、水平筒部１３１を接続する上流側の部材たる排気ファン１２に対し水平筒部１３１を抜け止めすることができる。
【００２５】
ところで、排気筒１３の下流側筒部１３３の上流端は、図２に示す如く、下方に屈曲して起立筒部１３２の上端に嵌合している。そして、給排気筒の位置が上下にずれたとき、起立筒部１３２に対し下流側筒部１３３の上流端をスライドすることで下流側筒部１３３を上下方向に位置調節して、下流側筒部１３３の下流端を給排気筒の内側排気筒部に接続できるようにしている。尚、下流側筒部１３３の上流端の下方への屈曲部には、起立筒部１３２から下流側筒部１３３が抜けることを防止するため、起立筒部１３２の上部外面の環状突起に係合する複数の爪片１３６ａを有するストッパ１３６が装着されている。
【００２６】
また、給排気筒の位置が横方向にずれた場合には、下流側筒部１３３を起立筒部１３２の軸線回りに旋回させて、下流側筒部１３３の下流端を給排気筒に位置合わせすることが考えられる。然し、これでは、給排気筒の軸線に対し下流側筒部１３３の軸線が斜交してしまうため、下流側筒部１３３を給排気筒の内側排気筒部にうまく接続できなくなる。無理に接続すると、下流側筒部１３３を介して起立筒部１３２にこれを横方向に変位させようとする力が作用する。そして、排気筒１３の水平筒部１３１と起立筒部１３２とが一体であると、正規位相に拘束される水平筒部１３１の軸線回りの曲げモーメントが起立筒部１３２及び下流側筒部１３３の上流端に作用し、耐久性に悪影響が及ぶ。
【００２７】
そこで、本実施形態では、水平筒部１３１と起立筒部１３２とを別体としている。そして、起立筒部１３２の下端に水平方向に屈曲するエルボー部１３２ａを設け、このエルボー部１３２ａの先端を水平筒部１３１の下流端に所定角度範囲で相対回転自在に嵌合させている。これによれば、水平筒部１３１に対するエルボー部１３２ａの回転により起立筒部１３２を介して下流側筒部１３３が横方向に平行移動する。そのため、給排気筒の位置が横方向にずれても、下流側筒部１３３を給排気筒に対し同軸度を保った状態で位置合わせして、下流側筒部１３３の下流端を給排気筒の内側排気筒部に無理なく接続できる。従って、起立筒部１３２及び下流側筒部１３３の上流端に曲げモーメントが作用することを防止できる。
【００２８】
以上、本発明の実施形態について図面を参照して説明したが、本発明はこれに限定されない。例えば、上記実施形態では、取付け具１３５を器体１内の内蔵品たる仕切板２ｃに固定しているが、排気筒１３のレイアウトによっては器体１に取付け具１３５を固定することも可能である。
【００２９】
また、上記実施形態では、非円形断面部をドレンパイプ１３４の連結部となる下平面部１３１ｂとこれに平行な上平面部１３１ｃとの２つの平面部を有する形状に形成しているが、これ以外の形状、例えば、上平面部１３１ｃを省略したＤ形の非円形断面部を形成することも可能である。また、ドレンパイプ１３４の連結部から離れた水平筒部１３１の部分に非円形断面部を設けることも可能である。但し、上記実施形態によれば、水平筒部１３１を取付け具１３５によりドレンパイプ１３４の連結部においてこの連結部が横断面の最下部に位置するように位相決めでき、位相決めの精度を向上させる上で有利である。
【００３０】
また、上記実施形態は暖炉型暖房器に設けるドレンパイプ付き排気筒の取付け構造に本発明を適用したものであるが、暖炉型暖房器以外の燃焼器のドレンパイプ付き排気筒の取付け構造にも同様に本発明を適用できる。
【図面の簡単な説明】
【００３１】
【図１】本発明のドレンパイプ付き排気筒の取付け構造を採用した燃焼器の右側の斜め前方から見た斜視図。
【図２】燃焼器の左側の斜め後上方から見た斜視図。
【図３】燃焼器の器体前面と燃焼筐前面を開放した状態の正面図。
【図４】図３にＩＶ−ＩＶ線で示す位置で切断した燃焼器の切断側面図。
【図５】燃焼器の排気筒と取付け具の分離状態の斜視図
【図６】排気筒に取付け具を装着した状態の縦断面図
【図７】図６にＶＩＩ−ＶＩＩ線で示す位置で切断した排気筒の取付け状態の横断面図。
【符号の説明】
【００３２】
１…器体、２ｃ…仕切板（内蔵品）、１３…排気筒、１３１…水平筒部、１３１ａ…拡径部（非円形断面部）、１３１ｂ…下平面部、１３１ｃ…上平面部、１３１ｄ…段部、１３２…起立筒部、１３２ａ…エルボー部、１３４…ドレンパイプ、１３５…取付け具、１３５ｇ…係合部。
【図１】
2008151446.tif 000003
【図２】
2008151446.tif 000004
【図３】
2008151446.tif 000005
【図４】
2008151446.tif 000006
【図５】
2008151446.tif 000007
【図６】
2008151446.tif 000008
【図７】
2008151446.tif 000009